(57)【要約】  コンピュータ実施情報ディスプレイのためのシステムと方法は、ユーザが情報内容を効率的に選択することができ次にその内容に関するトピック関連性を提示されることができるようなやり方でユーザに対し可視画面ディスプレイを編成する。上記ディスプレイは、特定の情報内容との関連性を有する特定の情報セグメントの選択を可能にする。選択された情報セグメントは、様々なカテゴリとサブカテゴリの情報との複数のトピック関連性を有する。ユーザは、情報内容の特定のセグメントにナビゲートし、次に、本ディスプレイシステムと方法が無かったら特定の選択されたセグメントに対して容易に明らかになっていないであろう、一連のトピック的な関連セグメントだけでなく、１つ以上の接続カテゴリの情報を提示されることができる。１つ以上の情報セグメント指標は発行日および／またはソース識別子を任意的に含むことができる。【選択図】図１
2013535055.tif 000002
【特許請求の範囲】
【請求項１】
選択されたカテゴリの情報内容を表す選択されたカテゴリ指標と、
選択されたサブカテゴリの情報内容を表す選択されたサブカテゴリ指標であって、前記サブカテゴリは前記選択されたカテゴリとのトピック関連性を有する、選択されたサブカテゴリ指標と、
前記選択されたカテゴリとのトピック関連性を有する代替サブカテゴリの情報内容を表す少なくとも１つの選択可能なサブカテゴリ指標と、
選択された情報内容へのアクセスを提供する選択された情報セグメント指標であって、前記選択されたサブカテゴリとのトピック関連性を有する、選択された情報セグメント指標と、
複数の選択可能な情報セグメント指標であって、それぞれが追加情報内容へのアクセスを提供し、前記選択されたサブカテゴリとのトピック関連性を有する、選択可能な情報セグメント指標と、
少なくとも１つの選択可能な接続カテゴリ指標であって、それぞれが接続カテゴリ、サブカテゴリ、または情報内容の情報セグメントを表し、各選択可能な接続カテゴリが前記選択された情報内容とのトピック関連性を有する、少なくとも１つの選択可能な接続カテゴリ指標と、を含むことを特徴とするコンピュータ実施情報ディスプレイ。
【請求項２】
請求項１に記載のディスプレイにおいて、前記複数の選択可能な情報セグメント指標はストリング構成で配置されることを特徴とするディスプレイ。
【請求項３】
請求項１に記載のディスプレイにおいて、前記複数の選択可能な情報セグメント指標はストリング構成で時間的に配置されることを特徴とするディスプレイ。
【請求項４】
請求項１に記載のディスプレイにおいて、前記選択されたカテゴリ指標は追加カテゴリ指標の階層内に配置されることを特徴とするディスプレイ。
【請求項５】
請求項１に記載のディスプレイにおいて、前記選択されたサブカテゴリ指標はカテゴリ指標の階層構造の末端カテゴリ指標であることを特徴とするディスプレイ。
【請求項６】
請求項１に記載のディスプレイにおいて、前記選択された情報セグメント指標は情報内容へのハイパーリンク、情報内容へのポインタ、または情報内容への連想指示を含むことを特徴とするディスプレイ。
【請求項７】
請求項１に記載のディスプレイにおいて、前記選択された情報セグメント指標の選択は前記ディスプレイに情報内容をさらに含ませることを特徴とするディスプレイ。
【請求項８】
請求項１に記載のディスプレイにおいて、異なるカテゴリ指標の選択は、前記少なくとも１つの選択可能なサブカテゴリ指標を異なる少なくとも１つの選択可能なサブカテゴリ指標により置換させ、前記複数の選択可能な情報セグメント指標を異なる複数の選択可能な情報セグメント指標により置換させ、前記少なくとも１つの選択可能な接続カテゴリを異なる少なくとも１つの選択可能な接続カテゴリ指標により置換させる、ことを特徴とするディスプレイ。
【請求項９】
請求項１に記載のディスプレイにおいて、代替サブカテゴリの情報内容を表す前記少なくとも１つの選択可能なサブカテゴリ指標の１つの選択は、前記複数の選択可能な情報セグメント指標を異なる複数の選択可能な情報セグメント指標により置換させ、前記少なくとも１つの接続カテゴリ指標を異なる少なくとも１つの選択可能な接続カテゴリ指標により置換させる、ことを特徴とするディスプレイ。
【請求項１０】
請求項１に記載のディスプレイにおいて、異なる選択可能な情報セグメント指標の選択は、前記少なくとも１つの選択可能な接続カテゴリ指標を異なる少なくとも１つの選択可能な接続カテゴリ指標により置換させることを特徴とするディスプレイ。
【請求項１１】
請求項１に記載のディスプレイにおいて、異なる選択可能な情報セグメント指標の選択は、前記少なくとも１つの接続カテゴリ指標を異なる少なくとも１つの選択可能な接続カテゴリ指標により置換させ、前記カテゴリ指標と前記少なくとも１つの選択可能なサブカテゴリ指標を同じ状態のままにさせる、ことを特徴とするディスプレイ。
【請求項１２】
請求項１に記載のディスプレイにおいて、前記選択された情報セグメント指標または前記複数の選択可能な情報セグメント指標の１つは、さらに発行日とソース識別子の１つ以上を含む、ことを特徴とするディスプレイ。
【請求項１３】
データ宛先にナビゲーションリンクを提供する複数の選択可能な情報セグメント指標で形成されたストリングと、
選択されたカテゴリの情報内容を表すカテゴリ指標と、
１つ以上の代替ストリングへの１つ以上のナビゲーションリンクと、
１つ以上の接続カテゴリへの１つ以上のナビゲーションリンクと、を含む会話型情報ディスプレイにおいて、
前記ストリングと前記１つ以上の代替ストリングのそれぞれは、前記選択されたカテゴリの情報内容とトピック的に関連付けられ、
前記１つ以上の接続カテゴリのそれぞれの情報内容は、前記ストリング上の選択されたナビゲーションリンクとトピック的に関連付けられる、ことを特徴とする会話型情報ディスプレイ。
【請求項１４】
請求項１３に記載の会話型情報ディスプレイ装置において、前記ストリングと前記１つ以上の代替ストリングのうちの１つ以上は、画面全体にわたって、画面上で、画面上に、画面から、またはこれらの任意の組み合わせで移動するように構成される、ことを特徴とする会話型情報ディスプレイ。
【請求項１５】
請求項１３に記載の会話型情報ディスプレイ装置において、前記複数の選択可能な情報セグメント指標は、時間的に配置されることを特徴とする会話型情報ディスプレイ。
【請求項１６】
請求項１３に記載の会話型情報ディスプレイ装置において、前記カテゴリ指標は、追加カテゴリ指標の階層内に配置されることを特徴とする会話型情報ディスプレイ。
【請求項１７】
請求項１３に記載の会話型情報ディスプレイにおいて、選択されたサブカテゴリの情報内容を表す選択されたサブカテゴリ指標であって、前記サブカテゴリが前記選択されたカテゴリとのトピック関連性を有する、サブカテゴリ指標をさらに含むことを特徴とする会話型情報ディスプレイ。
【請求項１８】
請求項１３に記載の会話型情報ディスプレイにおいて、前記複数の選択可能な情報セグメント指標の１つが選択されることを特徴とする会話型情報ディスプレイ。
【請求項１９】
単一のディスプレイ内において、
宛先情報への複数のリンクで形成されグループで配置されたストリングを表示する工程であって、前記複数のリンクの１つは選択された状態である、工程と、
情報内容カテゴリの指示を表示する工程と、
代替ストリングへの１つ以上のリンクを表示する工程と、
接続カテゴリへの１つ以上のリンクを表示する工程と、とを含む宛先情報へのナビゲーションリンクを表示する方法において、
前記宛先情報内の情報内容は、前記情報内容カテゴリとトピック的に関連付けられ、
前記代替ストリング内の情報内容は、前記情報内容カテゴリとトピック的に関連付けられ、
前記接続カテゴリの情報内容は前記宛先情報への前記選択されたリンクとトピック的に関連付けられる、ことを特徴とする方法。
【請求項２０】
請求項１９に記載の方法において、前記選択された状態である前記複数のリンクの１つによりリンクされる情報内容を表示する工程をさらに含む、ことを特徴とする方法。
【請求項２１】
請求項１９に記載の方法において、接続カテゴリへの前記１つ以上のリンクの１つの選択は、代替ストリングへの前記１つ以上のリンクを異なる代替ストリングへの１つ以上のリンクにより置換させ、宛先情報への前記複数のリンクを異なる宛先情報への複数のリンクにより置換させ、接続カテゴリへの前記１つ以上のリンクを異なる接続カテゴリへの１つ以上のリンクにより置換させる、ことを特徴とする方法。
【請求項２２】
請求項１９に記載の方法において、代替ストリングへの前記１つ以上のリンクの１つの選択は、宛先情報への前記複数リンクを異なる宛先情報への複数のリンクにより置換させ、接続カテゴリへの前記１つ以上のリンクを異なる接続カテゴリへの１つ以上のリンクにより置換させる、ことを特徴とする方法。
【請求項２３】
請求項１９に記載の方法において、宛先情報への前記複数のリンクのうちの異なるリンクの選択は、接続カテゴリへの前記１つ以上のリンクを異なる接続カテゴリへの１つ以上のリンクにより置換させる、ことを特徴とする方法。
【請求項２４】
請求項１９に記載の方法において、宛先情報への前記複数のリンクのうちの異なるリンクの選択は、接続カテゴリへの前記１つ以上のリンクを異なる接続カテゴリへの１つ以上のリンクにより置換させ、情報内容カテゴリの前記指示と代替ストリングへの前記１つ以上のリンクを同じ状態のままにさせる、ことを特徴とする方法。
【請求項２５】
請求項１９に記載の方法において、前記ストリングと前記１つ以上の代替ストリングのうちの１つ以上を、画面全体にわたって、画面上で、画面上に、画面から、またはこれらの任意の組み合わせで移動する工程、をさらに含むことを特徴とする方法。
【請求項２６】
極めて見易いディスプレイ内に表示された情報への複数のナビゲーションリンクを含む会話型情報ディスプレイであって、
前記複数のナビゲーションリンクは、
情報を含む情報宛先への複数のナビゲーションリンクを含むストリングと、
代替ストリングへの１つ以上のナビゲーションリンクと、
前記情報宛先に含まれる情報と前記１つ以上の代替ストリングがトピック的に関連付けられるカテゴリ属を特定するカテゴリ指標と、
接続カテゴリへの１つ以上の選択可能なリンクであって、各接続カテゴリは情報宛先への選択されたナビゲーションリンクとのトピック関連性を有する代替カテゴリ属を含む、１つ以上の選択可能なリンクと、を含むことを特徴とする会話型情報ディスプレイ。
【発明の詳細な説明】
【技術分野】
【０００１】
関連出願の相互参照
本出願は、２０１０年６月１８日出願の同時係属中の米国仮出願第６１／３５６，１８９号明細書と、２０１０年１１月１日出願の米国仮出願第６１／４０８，９６９号明細書の両出願に共通なすべての主題に関し優先権と利益を主張する。上記出願の開示の全体を言及することにより本明細書に援用する。
【０００２】
本発明は、ユーザに情報を提示するのに好適なコンピュータ実施ディスプレイ（ｃｏｍｐｕｔｅｒ  ｉｍｐｌｅｍｅｎｔｅｄ  ｄｉｓｐｌａｙ）に関し、特に情報内容との様々なトピック関連性を有する選択可能なタブまたはリンクの配置を有する可視ディスプレイに関する。
【背景技術】
【０００３】
長期にわたって、ますます増加する情報量はコンピュータ上に格納されてきた。非常に多くの情報が格納されているので、情報を検索し情報の所望部分を捜し出す能力をユーザに提供するための多くの解決策があった。コンピュータサイエンスの分野はデータ構造とデータベース技術を提供してきた。インターネットは、Ｇｏｏｇｌｅ（商標）、Ｙａｈｏｏ（登録商標）、その他を含む多くの異なる検索エンジンを使用することにより検索可能である。さらに、ＣＮＮ、ＭＳＮＢＣ、Ｆｏｘ  Ｎｅｗｓ等のニュース会社は、ユーザが特定の記事と内容を発見できるようにするために様々な検索エンジン技術を使用することにより大量のニュース記事をオンラインで配置する。同様に、Ａｍａｚｏｎ．ｃｏｍ等のオンラインショッピング会社は、様々な検索エンジン能力を使用することにより購入のための品目を検索し捜し出す能力を消費者に提供する。企業、組織、エンティティにより、または個人によっても運営される大抵のウェブサイトは情報を検索し表示するための無数の方法をユーザに提供する。
【０００４】
しかしながら、情報を管理するための上記メカニズムのすべてによる当該情報の最終的ディスプレイは、ユーザが生成情報を効率的にナビゲートしそれらの関連性を活用できるようにするやり方で、情報内容間のトピック関連性を例示する論理的やり方で情報を関連付け提示する能力に欠点がある。本発明はこれらの欠点に対処する。
【発明の概要】
【０００５】
様々な情報内容間のトピック関連性を活用するやり方で情報を表示するコンピュータ実施システムと方法（ｃｏｍｐｕｔｅｒ  ｉｍｐｌｅｍｅｎｔｅｄ  ｓｙｓｔｅｍ  ａｎｄ  ｍｅｔｈｏｄ）が必要である。本発明は、他の望ましい特性を有することに加えこの必要性に対処する別の解決策に向けられている。
【０００６】
本発明の実施形態によると、コンピュータ実施情報ディスプレイ（ｃｏｍｐｕｔｅｒ  ｉｍｐｌｅｍｅｎｔｅｄ  ｄｉｓｐｌａｙ  ｏｆ  ｉｎｆｏｒｍａｔｉｏ）は、選択されたカテゴリの情報内容を表す選択されたカテゴリ指標を含むことができる。選択されたサブカテゴリの情報内容を表す選択されたサブカテゴリ指標を含むことができ、サブカテゴリは選択されたカテゴリとのトピック関連性を有することができる。選択されたカテゴリとのトピック関連性を有する代替サブカテゴリの情報内容を表す少なくとも１つの選択可能なサブカテゴリ指標を含むことができる。選択された情報内容へのアクセスを提供する選択された情報セグメント指標を含むことができ、選択された情報セグメント指標は選択されたサブカテゴリとのトピック関連性を有することができる。複数の選択可能な情報セグメント指標を含むことができ、各選択可能な情報セグメント指標は追加情報内容へのアクセスを提供することができ、各選択可能な情報セグメント指標は選択されたサブカテゴリとのトピック関連性を有することができる。少なくとも１つの選択可能な接続カテゴリ指標を含むことができ、各選択可能な接続カテゴリ指標は接続カテゴリ、サブカテゴリ、または情報内容の情報セグメントを表すことができ、各選択可能な接続カテゴリは選択された情報内容とのトピック関連性を有することができる。
【０００７】
本発明の実施形態によると、複数の選択可能な情報セグメント指標をストリング構成で配置することができる。複数の選択可能な情報セグメント指標をストリング構成で時間的に配置することができる。選択されたカテゴリ指標を追加カテゴリ指標の階層内に配置することができる。選択されたサブカテゴリ指標はカテゴリ指標の階層構造の末端カテゴリ指標であってよい。選択された情報セグメント指標は、情報内容へのハイパーリンク、情報内容へのポインタ、または情報内容への連想指示（ａｓｓｏｃｉａｔｉｖｅ  ｉｎｄｉｃａｔｉｏｎ）を含むことができる。選択された情報セグメント指標の選択は、ディスプレイにさらに情報内容を含ませることができる。
【０００８】
本発明の態様によると、異なるカテゴリ指標の選択は、少なくとも１つの選択可能サブカテゴリ指標を異なる少なくとも１つの選択可能なサブカテゴリ指標により置換させることができ、複数の選択可能な情報なセグメント指標を異なる複数の選択可能な情報セグメント指標により置換させることができ、少なくとも１つの選択可能な接続カテゴリを異なる少なくとも１つの選択可能な接続カテゴリ指標により置換させることができる。代替サブカテゴリの情報内容を表す少なくとも１つの選択可能なサブカテゴリ指標の１つの選択は、複数の選択可能な情報セグメント指標を異なる複数の選択可能な情報セグメント指標により置換させることができ、少なくとも１つの接続カテゴリ指標を異なる少なくとも１つの選択可能な接続カテゴリ指標により置換させることができる。異なる選択可能な情報セグメント指標の選択は、少なくとも１つの選択可能な接続カテゴリを異なる少なくとも１つの選択可能な接続カテゴリ指標により置換させることができる。異なる選択可能な情報セグメント指標の選択は、少なくとも１つの接続カテゴリ指標を異なる少なくとも１つの選択可能な接続カテゴリ指標により置換させることができ、カテゴリ指標と少なくとも１つの選択可能なサブカテゴリ指標を同じ状態のままにさせることができる。選択された情報セグメント指標または複数の選択可能な情報セグメント指標の１つはさらに発行日とソース識別子の１つ以上を含むことができる。
【０００９】
本発明の実施形態によると、会話型情報ディスプレイは、データ宛先にナビゲーションリンクを提供する複数の選択可能な情報セグメント指標で形成されたストリングを含むことができる。選択されたカテゴリの情報内容を表すカテゴリ指標を含むことができる。１つ以上の代替ストリングへの１つ以上のナビゲーションリンクを含むことができる。１つ以上の接続カテゴリへの１つ以上のナビゲーションリンクを含むことができる。ストリングと１つ以上の代替ストリングのそれぞれを、選択されたカテゴリの情報内容にトピック的に関連付けることができる。１つ以上の接続カテゴリのそれぞれの情報内容を、ストリング上の選択されたナビゲーションリンクにトピック的に関連付けることができる。
【００１０】
本発明の実施形態によると、ストリングと１つ以上の代替ストリングのうちの１つ以上は、画面全体にわたって、画面上で、画面上に、画面から、またはこれらの任意の組み合わせで移動するように構成されることができる。複数の選択可能な情報セグメント指標を時間的に配置することができる。カテゴリ指標を追加カテゴリ指標の階層内に配置することができる。選択されたサブカテゴリの情報内容を表す選択されたサブカテゴリ指標を含むことができ、サブカテゴリは選択されたカテゴリとのトピック関連性を有することができる。複数の選択可能な情報セグメント指標の１つを選択することができる。
【００１１】
本発明の実施形態によると、単一ディスプレイ内に宛先情報へのナビゲーションリンクを表示する方法は、宛先情報への複数のリンクで形成されグループ内に配置されるストリングを表示する工程を含むことができ、複数のリンクの１つは選択された状態となることができる。情報内容カテゴリの指示を表示することができる。代替ストリングへの１つ以上のリンクを表示することができる。接続カテゴリへの１つ以上のリンクを表示することができる。宛先情報内の情報内容を情報内容カテゴリにトピック的に関連付けることができる。代替ストリング内の情報内容を情報内容カテゴリにトピック的に関連付けることができる。接続カテゴリ内の情報内容を、宛先情報への選択されたリンクにトピック的に関連付けることができる。
【００１２】
本発明の実施形態によると、選択された状態である複数のリンクの１つによりリンクされる情報内容を表示することができる。接続カテゴリへの１つ以上のリンクの１つの選択は、代替ストリングへの１つ以上のリンクを異なる代替ストリングへの１つ以上のリンクにより置換させることができ、宛先情報への複数のリンクを異なる宛先情報への複数のリンクにより置換させることができ、接続カテゴリへの１つ以上のリンクを異なる接続カテゴリへの１つ以上のリンクにより置換させることができる。代替ストリングへの１つ以上のリンクの１つの選択は、宛先情報への複数リンクを異なる宛先情報への複数のリンクにより置換させることができ、接続カテゴリへの１つ以上のリンクを異なる接続カテゴリへの１つ以上のリンクにより置換させることができる。宛先情報への複数のリンクのうちの異なるリンクの選択は、接続カテゴリへの１つ以上のリンクを異なる接続カテゴリへの１つ以上のリンクにより置換させることができる。宛先情報への複数のリンクのうちの異なるリンクの選択は、接続カテゴリへの１つ以上のリンクを異なる接続カテゴリへの１つ以上のリンクにより置換させることができ、情報内容カテゴリの指示と代替ストリングへの１つ以上のリンクを同じ状態のままにさせることができる。ストリングと１つ以上の代替ストリングのうちの１つ以上を、画面全体にわたって、画面上で、画面上に、画面から、またはこれらの任意の組み合わせで移動することができる。
【００１３】
本発明の実施形態によると、情報への複数のナビゲーションリンクを極めて見易いディスプレイで表示することができる。複数のナビゲーションリンクは、情報を含む情報宛先への複数のナビゲーションリンクを含むストリングを含むことができる。代替ストリングへの１つ以上のナビゲーションリンクを含むことができる。情報宛先に含まれる情報と１つ以上の代替ストリングがトピック的に関連付けられるカテゴリ属を特定するカテゴリ指標を含むことができる。接続カテゴリへの１つ以上の選択可能なリンクを含むことができ、各接続カテゴリは、情報宛先への選択されたナビゲーションリンクとのトピック関連性を有する代替カテゴリ属を含むことができる。
【図面の簡単な説明】
【００１４】
本発明のこれらおよび他の特徴は、添付図と併せて以下の詳細な説明を参照することによりさらに完全に理解されることになる。
【００１５】
【図１】図１は、本発明の一態様によるディスプレイの概略画面ショット図である。
【図２】図２は、本発明の一態様によるディスプレイの概略図である。
【図３Ａ】図３Ａは、本発明の一態様による、選択された情報セグメント指標を有する図１のディスプレイの概略画面ショット図の一部である。
【図３Ｂ】図３Ｂは、本発明の一態様による、異なる情報セグメント指標が選択された図３Ａのディスプレイの概略画面ショット図である。
【図４Ａ】図４Ａは、本発明の一態様による、選択されたサブカテゴリ指標を有する図１のディスプレイの概略画面ショット図の一部である。
【図４Ｂ】図４Ｂは、本発明の一態様による、異なるサブカテゴリ指標が選択された図４Ａのディスプレイの概略画面ショット図である。
【図５】図５は、本発明の一態様による、同じ情報内容に関連付けられている２つの異なるセグメント指標を実証する概略図である。
【図６】図６は、本発明の態様による、ディスプレイを使用することによりナビゲートする例示処理を示す概略フローチャートである。
【図７】図７は、本発明の１つの例示的実施形態による、異なるカテゴリ指標とサブカテゴリ指標が選択された際のディスプレイの異なるインスタンス上の第１のディスプレイのストリングで複数の情報セグメント指標の存在をさらに実証する概略図である。
【図８Ａ】図８Ａは、本発明の態様による、複数の情報セグメント指標の発行日とソース識別子を実証する概略図である。
【図８Ｂ】図８Ｂは、本発明の態様による、複数の情報セグメント指標の発行日とソース識別子を実証する概略図である。
【図９】図９は、本発明の実施形態を実施するための例示的コンピュータ環境を描写するブロック線図である。
【発明を実施するための形態】
【００１６】
本発明の例示的実施形態はコンピュータ実施情報ディスプレイに関する。情報は、ユーザが情報内容を効率的に選択することができ次にその内容に関するトピック関連性を提示されることができるようなやり方でユーザに対し可視画面ディスプレイ内で編成される。上記ディスプレイは、特定の情報内容との関連性を有する特定セグメントの選択を可能にする。セグメントは、一連のセグメントで配置することができる。一連のストリングは、ディスプレイ全体にわたって、ディスプレイ上で、ディスプレイ上に、および／またはディスプレイから、移動するように構成することができる。選択されたセグメントは、様々なカテゴリおよびサブカテゴリの情報との複数のトピック関連性を有することになる。既に示したように、ユーザは、情報内容の特定セグメントにナビゲートすることができ、次に、本発明のディスプレイが無かったら上記特定の選択されたセグメントに対して明らかになっていないかもしれない、一連のトピック的な関連セグメントだけでなく、１つ以上の接続カテゴリの情報も提示されてよい。
【００１７】
全体を通して同様の部品が同様の参照符号により示される図１〜図９は本発明による情報ディスプレイの例示的実施形態を示す。本発明は添付図面に示された例示的実施形態を参照して説明されるが、多くの代替形式が本発明を具現できることを理解すべきである。本発明の精神と範囲に依然として合わせたやり方で素子または材料の大きさ、形状またはタイプ等の開示された実施形態のパラメータを変更するための異なるやり方を当業者はさらに理解することになる。
【００１８】
図１に、本発明によるコンピュータ実施ディスプレイ１０の概略図を示す。ディスプレイ１０は多くの異なるレイアウト構成を有することができる。本発明の革新的な性質は、本明細書に示されるようなディスプレイ１０の部品の特定の場所レイアウトと配置により特に限定されない。むしろ、本発明は異なる画面レイアウトと構成で実施されてもよい。しかしながら明暸性と可能性の目的のために、本発明は、対応する図に示され説明されるような部品のそれぞれの配置を含む例示的ディスプレイ配置と構成に関して示され説明されるものとする。本発明が本明細書に詳述される特定の画面ディスプレイレイアウトに限定されないということを当業者は理解することになる。
【００１９】
ここで本発明によるディスプレイ１０を参照すると、ディスプレイ１０はコンピュータにより生成された画面ショットまたは画面ディスプレイの代表的レイアウトの一例として図１に総じて示される。ディスプレイ１０はカテゴリ指標１２を含む。複数のサブカテゴリ指標１４が提供される。複数の情報セグメント指標１６が同様に提供される。さらに複数の接続カテゴリ指標１８が提供される。複数の各タイプの指標が例示的実施形態において示されているが、後で本明細書で説明されるように、ディスプレイ１０の特定インスタンスに依存していくつかの指標のうちのわずか１つが存在してもよいまたは可能性としていくつかの指標はなくてもよい。
【００２０】
本発明は、提供された機能の多くを示すために、複数の情報セグメント指標１６の特定の選択された情報セグメント指標の観点から最初に説明される。複数の情報セグメント指標１６の各指標はディスプレイ１０内で選択可能である。選択されると、選択されたセグメントＡ３などの情報セグメント指標は、特定の情報内容へのリンクまたはポインタまたは他の連想指示として機能する。情報内容の物理的場所は、情報のタイプと本発明のディスプレイ１０が動作するコンピュータシステムまたはネットワークのタイプとに依存し、広範囲にわたって変化することができる。説明のために、本発明は、インターネットを介しアクセス可能なやり方で格納された内容情報へのアクセスを提供するディスプレイ１０を背景にして、説明されることがある。そのため、情報内容の特定の物理的場所は、インターネットを介したあるやり方で本発明のディスプレイ１０を実施するコンピュータに通信でリンクされる任意のコンピュータ記憶メカニズム内であってよい。用語「コンピュータ」により意味することは後で本明細書で説明されるが、本検討の目的のためには、一般に受け入れられているコンピュータの定義に従うと考えるべきである。
【００２１】
選択可能な情報セグメント指標１６は、本明細書でさらに詳細に説明されるようにストリングとして配置されることができる。さらに、選択可能な情報セグメント指標１６の任意のストリングは、移動するストリングが選択された情報セグメント指標１６を含むか否かにかかわらずディスプレイ全体にわたって移動するように構成されることができる。本発明の実施形態は運動が発生する特定のやり方に限定されない。いくつかの実施形態では、運動はストリングが延びる方向に発生する。いくつかの実施形態では、ストリングは、いくつかの表示された選択可能な情報セグメント指標１６をディスプレイ１０から除去させるやり方で移動する（例えば、ディスプレイ１０「から移動する」ことにより）。いくつかの実施形態では、ストリングは、表示された選択可能な情報セグメント指標１６をディスプレイ１０上に現れさせるようなやり方で移動する（例えば、ディスプレイ１０「上に移動する」ことにより）。いくつかの実施形態では、ディスプレイ１０上のストリングの運動は２つの方向（例えば、上／下、左／右、または任意の他の軸または線に沿った２つの方向に移動すること）に限定され、ストリングは２つの方向に移動するように構成される。他の実施形態では、ディスプレイ１０上のストリングの運動は、２つの方向だけに限定されない（例えば、上／下／左／右に移動することができる、または曲線に沿って前方または後方に移動することができる、または３つ以上の方向の運動に関わる任意の他の構成で移動することができる）。セグメント情報指標１６の運動はストリングで配置された実施形態を特に参照して本明細書に説明されるが、本発明の実施形態による任意のディスプレイは情報セグメント指標１６の特定のレイアウトと構成にかかわらずこのような運動を実施することができる。
【００２２】
選択されたセグメントＡ３などの特定の選択された情報セグメント指標に戻ると、この指標は、例えばインターネット上のどこかで探し出される、特定の情報内容へのリンクまたはポインタまたは他の連想指示として機能する。セグメントＡ３が選択されると、ディスプレイは、情報内容を含む新しいフレームまたは画面を開くことまたは情報内容ペイン２０内などの既存ディスプレイの或る部分上に情報内容を表示することを含む、当該選択されたセグメントＡ３に関連する情報内容をいくつかの形式で提供する。ペインは単純に視覚的に生成された領域であってもよいし、または別のウィンドウ、フレームまたは同種のものであってもよい。別の選択肢は、ウェブページまたは情報内容を含む他の文書から離れるようにナビゲートするおよびそれに直接ナビゲートするディスプレイを含む。情報内容ペイン２０内の情報は、情報セグメント指標１６、サブカテゴリ指標１４、カテゴリ指標１２および接続カテゴリ指標１８に関連する情報を提供する同じソースにより提供される必要はない。実際、情報内容ペイン２０の内容は、情報セグメント指標１６、サブカテゴリ指標１４、カテゴリ指標１２および接続カテゴリ指標１８に関連する情報を提供するソースとは異なるソースによってもホストされることができる（例えばウェブサイト上で）。例えば、第三者企業によりホストされるオンラインウェブサイトは、それ自身のウェブサイト表示の一区間または一部分として例示的ディスプレイ１０を含むことができる。このような事例では、ディスプレイ１０は、当業者により理解されるように、「アプリ」（例えばアプリケーション）、プラグイン、埋め込み内容、またはホストのウェブサイトフォーマットに準拠するソース情報の任意の他の形式、コードなどとしてインストール可能である。
【００２３】
ニュース記事の検索結果を示す本発明のディスプレイ１０の事例を一例として取り上げる。このような事例では、選択されたセグメントＡ３は特定のニュース記事の描写またはテキスト指示を有するであろう、そして選択されると、ニュース記事情報の内容が情報内容ペイン２０内に示される。
【００２４】
前に述べたように、本発明は、特定の選択されたセグメントの特定の例およびその対応する情報内容を考察することにより最もよく理解される。ニュース記事が選択されると、本発明のディスプレイ１０は、カテゴリ指標１２、複数のサブカテゴリ指標１４、複数の情報セグメント指標１６（ストリング２２配置で示される）、および複数の接続カテゴリ指標１８を追加的に含むことになる。情報内容ペイン２０内に表示されるニュース記事の情報内容は上記指標１２、１４、１６、１８のすべてとのトピック関連性を有する。より具体的には、選択されたセグメントＡ３のニュース記事の情報内容は、選択されたセグメントＡ３により表示される、特定のカテゴリ指標１２、サブカテゴリ指標１４のそれぞれ、セグメント指標１６のそれぞれ、接続カテゴリ指標１８のそれぞれとのトピック関連性を有する。
【００２５】
もう一歩踏み込んで例示的例を取り上げ、例示目的のために、情報内容ペイン２０内の情報内容表示が特定の野球の試合とその結果についての野球物語を論じるニュース記事であると仮定すると、以下では、異なる例のトピック的連想指標１２、１４、１６、１８がディスプレイ１０内にどのように提示され得るかを説明する。再び、情報内容の特定のトピックはかなり変化する可能性があり、本明細書に提供される野球の例に決して限定されない。
【００２６】
野球の試合に関するニュース記事を指す選択されたセグメントＡ３により、このようなニュース記事は、「野球」の指示に対するカテゴリ指標１２下に属するものとして、選択のために利用できる。サブカテゴリ指標のそれぞれは特定の野球チームを示してもよく、例えば、サブカテゴリＡは「レッドソックス」を示すことができ、サブカテゴリＢは「ヤンキース」を示すことができ、サブカテゴリＣは「レイズ」を示すことができ、サブカテゴリＤは「ブルージェイズ」を示すことができる。さらに例を挙げると、複数の情報セグメント指標１６のそれぞれは例えば次のように読み取ってもよい。セグメントＡ１は「レッドソックス春期トレーニング記事」を示してもよく、セグメントＡ２は「レッドソックス負傷報告」を示してもよく、セグメントＡ３は「レッドソックス対ヤンキースの試合」を示してもよく、セグメントＡ４は「レッドソックス国イベント：Ｒｅｄ  Ｓｏｘ  Ｎａｔｉｏｎ  Ｅｖｅｎｔ」を示してもよい。複数の情報セグメント指標１６のそれぞれは年代順ストリング２２などの時間的に編成されたやり方で配置されることができ、この結果、特定情報セグメント指標により示される情報内容の発行日は、ストリング２２上のどこに、情報セグメント指標を複数の情報セグメント指標１６内の他の指標に対して配置するかを規定する。このような配置では、時間的に先に発行された情報内容はストリング２２に沿って左側にナビゲートすることにより到達可能であり、時間的に最も最近発行された情報内容はストリング２２に沿って右側にナビゲートすることにより到達可能である。年代順はストリング２２に沿った情報セグメント指標の配置のより快適かつ認識可能な方法かもしれないが、これらに限定されないが時間、温度、速度、体積、重量、圧力、電力、長さ、消費、力、割合、エネルギー、電流、密度、ビット、面積、角度、値および他の定量的および定性的測定の単位を含む測定の他の量と単位が複数の情報セグメント１６を順序付けるために同様に利用されてもよいということを当業者は認識することになる。同様に、ストリング２２はランダムな順序のセグメント配置を含んでもよい。
【００２７】
上記例を続けると、次に複数の接続カテゴリ指標１８のそれぞれはレッドソックス対ヤンキースの野球の試合に関連する情報内容を示してもよく、例えば、接続カテゴリＡ３−Ｉは「Ｔｈｅ  Ｊｉｍｍｙ  Ｆｕｎｄ  Ｃｈａｒｉｔｙ」を示してもよく、接続カテゴリＡ３−ＩＩは「Ｆｅｎｗａｙ  Ｐａｒｋ」を示してもよく、接続カテゴリＡ３−ＩＩＩは「Ｊｏｈｎ  Ｈｅｎｒｙ（レッドソックスのオーナー）」を示してもよい。複数のセグメント指標１６の選択されたセグメント指標内の情報内容に基づき特定のディスプレイ１０内に発生し得る事実上無数の指標１２、１４、１６、１８が存在するので本発明は本明細書に記載の例に限定されないということを当業者は理解することになる。
【００２８】
選択されたカテゴリ指標１２は複数のサブカテゴリ指標１４のどれが提示されるかを規定するということにここでは留意されたい。同様に、複数のサブカテゴリ指標１４の選択されたサブカテゴリ指標は複数の情報セグメント指標１６のどれが提示されるかを規定する。同様に、複数の情報セグメント指標１６の選択された情報セグメントは、どんな情報内容が情報内容ペイン２０内に表示されるかだけでなく複数の接続カテゴリ指標１８のどれが提示されるか、または情報内容に対するナビゲーション実行命令の場所を規定する。後で本明細書にさらに詳しく述べられるように、複数の接続カテゴリ指標１８のそれぞれは、異なるカテゴリ指標、異なるサブカテゴリ指標、または異なる情報セグメント指標へのリンクまたはポインタまたはそれへの他の直接的連想指示を与えることができる。言い換えれば、複数の接続カテゴリ指標１８のそれぞれは、ある時間のカテゴリを指すまたはそれにリンクする、またはその情報内容を直接的に指すまたはそれに直接リンクすることができる（情報セグメント指標のように）。
【００２９】
図２は本発明の態様によるディスプレイ１０の概略図である。カテゴリ指標１２はカテゴリ指標の階層構造の一部となることができる。より具体的には、図に示すように、カテゴリ指標１２は実際にカテゴリ指標１２１のサブカテゴリであってよい。同様に、カテゴリ指標１２１は実際にカテゴリ指標１２２のサブカテゴリであってよい。この階層構造は、当業者により理解されるようにカテゴリ指標１２ｎまで続けられてもよいので、本発明は１レベルのカテゴリ指標と１レベルのサブカテゴリ指標だけを有するカテゴリ指標構造に決して限定されない。むしろ任意のカテゴリ指標１２は、カテゴリ指標１２が関係を有する情報内容とトピック関連性により規定されるような、より大きな階層構造のカテゴリ指標の一部であってもよい。さらに各サブカテゴリ指標は、複数のカテゴリ指標を有する任意の階層構造の末端カテゴリ指標を表してもよい。
【００３０】
図３Ａと図３Ｂは、特定のインスタンスにおける複数の情報セグメント指標１６のセグメント指標の変化を実証する概略図である。図３Ａは、情報セグメント指標Ａ３が選択された図１のディスプレイ１０を示す。情報セグメント指標Ａ３の選択は、カテゴリ指標１２と複数のサブカテゴリ指標１４（サブカテゴリＡ、サブカテゴリＢ、サブカテゴリＣ、サブカテゴリＤ）の範囲に含まれる。情報セグメント指標Ａ３が選択されると、複数の接続カテゴリ指標（接続カテゴリＡ３−Ｉ、接続カテゴリＡ３−ＩＩ、接続カテゴリＡ３−ＩＩＩ）がディスプレイ１０内に提示される。
【００３１】
図３Ｂは、異なる情報セグメント指標の選択とともにディスプレイ１０がどのように変化するかを実証する概略図である。図３Ｂでは、情報セグメント指標Ａ２が次に選択される（情報セグメント指標Ａ３ではなく）。この選択の変更では、カテゴリ指標１２、または複数のサブカテゴリ指標１４（サブカテゴリＡ、サブカテゴリＢ、サブカテゴリＣ、サブカテゴリＤ）のいずれのものにも変化が無いということが分かる。上記指標すべては同じ状態のままである。異なる情報セグメント指標の選択に伴って変化するのは、複数の接続カテゴリ指標１８から複数の接続カテゴリ指標１８’への特定の接続カテゴリ指標である。さらに実証されるように、複数の接続カテゴリ指標１８’は、接続カテゴリＡ３−Ｉ、接続カテゴリＡ３−ＩＩ、接続カテゴリＡ３−ＩＩＩの代わりに、接続カテゴリＡ２−Ｉ、接続カテゴリＡ２−ＩＩ、接続カテゴリＡ２−ＩＩＩを含む。
【００３２】
以前に提示した野球ニュース記事の例示的例に続き、情報セグメント指標の上記変化について以下のようにさらに説明することができる。例示的例では、セグメントＡ２は「レッドソックス負傷報告」を示し、セグメントＡ３は「レッドソックス対ヤンキースの試合」を示した。セグメントＡ３が選択された場合、接続カテゴリＡ３−Ｉは「Ｔｈｅ  Ｊｉｍｍｙ  Ｆｕｎｄ  Ｃｈａｒｉｔｙ」を示し、接続カテゴリＡ３−ＩＩは「Ｆｅｎｗａｙ  Ｐａｒｋ」を示し、接続カテゴリＡ３−ＩＩＩは「Ｊｏｈｎ  Ｈｅｎｒｙ（レッドソックスのオーナー）」を示した。図３Ｂに示すように、セグメントＡ２が選択されると、新しい接続カテゴリは、接続カテゴリＡ２−Ｉ「Ｍｉｋｅ  Ｌｏｗｅｌｌ親指負傷」、接続カテゴリＡ２−ＩＩ「Ｒｅｈａｂ  Ｓｔｉｎｔ  Ｉｎ  Ｐａｗｔｕｃｋｅｔ」、接続カテゴリＡ２−ＩＩＩ「Ｔｏｍｍｙ  Ｊｏｈｎ手術」などの情報内容を含んでもよい。
【００３３】
図４Ａと図４Ｂは、特定のインスタンスにおける複数のサブカテゴリ指標１４のサブカテゴリ指標の変化を実証する概略図である。図４Ａに、サブカテゴリＡが選択された図１のディスプレイ１０を示す。複数のサブカテゴリ指標１４、複数の情報セグメント指標１６、複数の接続カテゴリ指標１８のすべては、例示的野球例に関しここで先に説明したものと同様であろう。
【００３４】
図４Ｂは、異なるサブカテゴリ指標の選択に伴ってディスプレイ１０がどのように変化するかを実証する概略図である。図４Ｂでは、サブカテゴリＢ指標「ヤンキース」が現在選択されている（サブカテゴリＡ指標「レッドソックス」ではなく）。この選択の変化では、カテゴリ指標１２には変更が無いということが分かる。しかしながら、複数の情報セグメント指標１６’と複数の接続カテゴリ指標１８’’内の特定の指標は現在図１に表示されたものと異なる。より具体的には、複数の情報セグメント指標１６’は、情報セグメント指標Ｂ１「レッドソックス対ヤンキースの試合」、情報セグメント指標Ｂ２「秋のプレビュー」、情報セグメント指標Ｂ３「ヤンキース展望報告」、および情報セグメント指標Ｂ４「ヤンキース昔と今」などの情報内容を含んでもよい。
【００３５】
選択された情報セグメントＢ３（「ヤンキース展望報告」）では、複数の接続カテゴリ指標１８’’は、接続カテゴリＢ３−Ｉ「ヤンキーファーム制度」、接続カテゴリＢ３−ＩＩ「Ｇｅｏｒｇｅ  Ｓｔｅｉｎｂｒｅｎｎｅｒ（ヤンキースオーナー）」、接続カテゴリＢ３−ＩＩＩ「歴史的展望上位：Ｔｏｐ  Ｈｉｓｔｏｒｉｃａｌ  Ｐｒｏｓｐｅｃｔｓ」を含んでもよい。
【００３６】
再び、当業者に理解されるように、本明細書で提供される特定の情報内容トピックは代表的「野球」テーマカテゴリ１２下の単なる例示的例として提供される。本発明は、本明細書に記載の例示的例の情報内容に決して限定されない。例示的例は、本発明のディスプレイ１０により活用され得る情報内容とトピック関連性の相互関係のいくつかを単に実証するだけである。
【００３７】
例示的「野球」の例では、図１から選択された情報セグメント指標Ａ３の題名と図４Ｂから選択された情報セグメント指標Ｂ１は同じ、すなわち「レッドソックス対ヤンキースの試合」であるということに留意されたい。図５にさらに示すように、情報セグメント指標Ａ３とＢ１の両方は、同一情報内容の場所のリンクまたはポイントまたはそうでなければその連想指示である。換言すれば、題名「レッドソックス対ヤンキースの試合」を有する同一のニュース記事（この例示的事例における）は、カテゴリ指標１２「野球」、サブカテゴリ指標Ａ「レッドソックス」、情報セグメント指標Ａ３「レッドソックス対ヤンキースの試合」にナビゲートすることにより、またはカテゴリ指標１２「野球」、サブカテゴリ指標Ｂ「ヤンキース」、情報セグメント指標Ｂ１「レッドソックス対ヤンキースの試合」にナビゲートすることにより、のいずれかで本発明のディスプレイ１０を使用することにナビゲートすることができる。さらに、同じ情報内容トピックと場所は、特定の情報内容トピックおよび利用可能なカテゴリ、サブカテゴリ、セグメントブレークダウンに依存して、カテゴリ指標、サブカテゴリ指標、情報セグメント指標の他の組み合わせを使用することにナビゲートされることができる。
【００３８】
図６は、特定の情報内容にナビゲートするためにディスプレイ１０を使用する例示的方法を描写するフローチャートである。本発明の１つの例示的実施形態によると、カテゴリ指標１２が選択される（工程１００）。上記検討で述べたように、カテゴリ指標１２は特定の実施に依存してカテゴリ指標の階層構造から発生してもよい。次に、サブカテゴリ指標が複数のサブカテゴリ指標１４から選択される（工程１０２）。サブカテゴリ指標の選択することにより、所望の情報内容にナビゲートさせるようにセグメントを選択することができる複数の情報セグメント指標１６のストリング２２の表示を発生させる（工程１０４）。工程１０４の前ではないが、少なくとも工程１０４が実行されると、情報内容がある形式で表示される（例えば、リンクにより、情報内容ペイン２０により、新しいフレームまたはウィンドウ等を開くことによりなど）。情報内容の表示は、ディスプレイ１０が提示される毎に自動処理により求められることができるか、ディスプレイ１０の論理シーケンスにより提供される推薦を含むことができるか、または上述のような能動的選択の処理を実施することから発生することができる。必要に応じ、他の情報内容にさらにナビゲートするために、接続カテゴリ指標を任意的に選択する（工程１０６）、異なるカテゴリ指標を任意的に選択する（工程１０８）、異なるサブカテゴリ指標を任意的に選択する（工程１１０）、または異なる情報セグメント指標を任意的に選択する（工程１１２）を含む任意の数の任意的工程が実行されてもよい。各選択により、カテゴリ指標、サブカテゴリ指標、接続カテゴリ指標、情報セグメント指標の追加オプションが利用可能になる。
【００３９】
本開示を所与として当業者が認識できるように、本発明のディスプレイ１０は、情報内容を表示し情報内容のアクセスと指示を提供する新規なやり方と、従来の検索エンジンをはるかに越える情報内容が他の情報内容にトピック的に関連付けられるやり方と、を提供する。例えば、図１に戻って、図１のディスプレイ１０が提示されると、ユーザは、ストリング２２上に配置された一系列の選択可能な情報内容がすぐに手に入る。情報内容の各セグメントは、従来の検索エンジンの検索ボックス内への検索語の個々のエントリを必要とし、次にストリング２２上に配置された（この例では、年代順に）情報内容へのリンクを得るためにその結果の検討を必要とするだろう。加えて、ディスプレイ１０から容易にアクセス可能な各サブカテゴリ指標はまた、従来の検索エンジンの検索ボックス内への検索語の個々のエントリを必要とし、次に情報内容へのリンクを得るためにその結果の検討を必要とするだろう。加えて、ディスプレイ１０から容易にアクセス可能な各カテゴリ指標はまた、従来の検索エンジンの検索ボックス内への検索語の個々のエントリを必要とし、次に情報内容へのリンクを得るためにその結果の検討を必要とするだろう。上記個々の検索のすべてと関連結果はすべて本発明のナビゲーション可能なディスプレイ１０内に提示される。
【００４０】
ディスプレイ１０の構造と、カテゴリ指標１２のトピック、複数のサブカテゴリ指標１４のトピック、複数の情報セグメント指標１６のトピック、複数の接続カテゴリ指標１８のトピックの特定の選択は、ユーザへのディスプレイ１０の提示に先立って構成され配置されることができる。構成と配置は、１人以上の個人により、内容情報を精査し、ディスプレイの構造内の内容情報にリンクする情報セグメント指標を配置することにより手動により行われることができる。あるいは構成と配置は、情報内容を捜し出し、情報内容のトピックを特定し、ディスプレイ１０の構造内の情報内容にリンクする情報セグメント指標を置くために、バーチャルロボット、バーチャルスパイダ、またはインターネットおよび他の情報源を捜索する他の論理的処理またはアルゴリズムを使用することにより、自動的な様式で行われてもよい。このやり方はさらに、カテゴリ、サブカテゴリ、セグメント、接続カテゴリ間の連想リンクを構築することを含む。
【００４１】
当業者によりさらに理解されるように、内容情報、カテゴリ指標１２、サブカテゴリ指標１４、情報セグメント指標１６、接続カテゴリ指標１８を追加するために本発明のディスプレイ１０を絶えず更新し拡張することができる。ディスプレイ１０は、多くの異なるやり方で同様にストリング２２を配置するように更新することができ、ストリング２２は異なる方向に拡張することができ、論理的に適切な場合において情報セグメント指標を追加する。
【００４２】
前述のように、本発明のディスプレイ１０は多くの異なるタイプの情報内容で動作することができる。本発明のディスプレイ１０の能力は、情報内容と関連トピック間の相互関係がディスプレイ１０のユーザにより容易に発見され活用されることができるような方法で情報を新規なやり方で結合することに関し幅広いものがある。例えば、単一のニュース記事が多くの異なるストリング２２内に現れる可能性がある。したがって同じニュース記事情報内容が、異なるカテゴリ指標１２およびサブカテゴリ指標１４の選択を介し異なるナビゲーション処理を発生する可能性がある。
【００４３】
図７は、様々なカテゴリ指標とサブカテゴリ指標が選択された際の様々なディスプレイのインスタンス１０’、１０’’、１０’’’、１０’’’’上の第１のディスプレイ１０のストリング２２内の複数の情報セグメント指標１６の存在をさらに実証する概略図である。
【００４４】
先に説明したように、いくつかの実施形態では、複数の情報セグメント指標１６は年代順ストリング２２のような時間的に編成されたやり方で配置される。情報内容の発行日、または情報内容が利用可能になった日付（本明細書と添付特許請求範囲では「発行日」と呼ぶ）は、図８Ａと図８Ｂに発行日２４により示されるように特定情報セグメント指標上に示すことができる。発行日は、ストリング２２上で各情報セグメント指標が他の指標に対してどこに配置されるかを規定することになる。このような配置では、時間的に先に発行された情報内容はストリング２２に沿って左側にナビゲートすることにより到達可能であり、時間的に最も最近発行された情報内容はストリング２２に沿って右側にナビゲートすることにより到達可能である。
【００４５】
発行日は、離散的時間、離散的日付、特定の週などとして提示されることができる。任意の広く認められている時間の単位、または経過時間をマーキングする方法を使用することができる。例えば、いくつかのスポーツの場合、発行日はスポーツシーズンの特定の週である可能性がある。さらに、発行日は図８Ａと図８Ｂに示すような情報セグメント指標上に直接配置される必要はないということを当業者は理解するだろう。ストリング２２に関連する時間表、またはユーザが特定情報セグメント指標上をスクロールするまたはその上でクリックすると発行日をアクセスまたは見ることができるようにするディスプレイの特徴などの他の実施態様が可能である。ユーザに特定の発行日を通知するためのこれらおよび任意の他の適切なメカニズムを使用することができる。
【００４６】
加えて、図８Ａと図８Ｂに示すように、本発明の別の実施形態はまた、ソース識別子２６を含むことができる。本明細書と添付請求範囲において参照される「ソース識別子」は、特定情報セグメント指標の情報内容を発行したソースの識別の或る様相をユーザに示すディスプレイ上の文字列、連想ロゴ、カラースキーム、または他の好適なタイプの指標である。例えばソースが報道機関である場合、ソース識別子２６により組織の名前を提示することができる。この例を図８Ａと図８Ｂに示す。あるいはソース識別子は、ユーザに、組織のタイプ、組織の場所、組織の政治的または他の関係、組織のウェブサイトＵＲＬなどのソースの識別の他の態様を意味することができる。ニュース記事に関係するいくつかの実施形態では、情報内容のリポーターまたは著者の名前をソース識別子により示すことができる。加えて、複数のソース識別子を任意の単一情報セグメント指標に利用することができる。例えばニュース記事に関係する特定情報セグメント指標は、記事を発行したニュースソースの名前を含むことができ、加えて、ニュースソースが、ウェブサイトか、ブロガーか、特定の政党を公に支持するかどうかなどを示す特定色を与えられることができる。
【００４７】
図８Ａと図８Ｂは複数の情報セグメント指標のそれぞれの発行日とソース識別子の両方を表示する例示的実施形態を示すが、これらの特徴の１つだけを提供するまたはこれらの特徴を提供しない他の実施形態を実施することができる。同様に、これらの特徴がディスプレイ１０内に含まれる場合、これらは複数の情報セグメント指標１６のそれぞれに含まれる必要はない。
【００４８】
図９に、本発明の例示的方法とシステムを実施するための例示的動作環境内の例示的コンピュータ装置２００を示す。コンピュータ装置２００は好適なコンピュータ環境の単なる例示的例であって、本発明の範囲を決して限定するものではない。図９により表されるような「コンピュータ装置」としては、当業者に理解されるように、「ワークステーション」、「サーバー」、「ラップトップ」、「デスクトップ」、「携帯装置」、「移動体装置」、「タブレットコンピュータ」、「コンピュータ」または他のコンピュータ装置を挙げることができる。コンピュータ装置２００は例示目的のために描写されたということ考えれば、本発明の実施形態は本発明の単一実施形態を実施するために任意の数の異なるやり方で任意の数のコンピュータ装置２００を利用することができる。したがって本発明の実施形態は、当業者により認識されるように、単一のコンピュータ装置２００に限定されないし、また例示的コンピュータ装置２００の単一タイプの実施形態または構成に限定されない。
【００４９】
コンピュータ装置２００は、以下の例示的部品、すなわちメモリ２１２、１つ以上のプロセッサ２１４、１つ以上のプレゼンテーション部品２１６、入出力ポート２１８、入出力部品２２０、電源２２４のうちの１つ以上に直接または間接的に結合されることができるバス２１０を含むことができる。バス２１０はアドレスバス、データバス、またはそれらの任意の組み合わせなどの１つ以上のバスを含むことができるということを当業者は理解することになる。意図されたアプリケーションと特定の実施形態の使用とに依存して、これらの部品の複数を単一装置により実施することができるということを当業者はさらに理解することになる。同様に、場合によっては、単一の構成部品は複数の装置により実施されることができる。そのため、図９は本発明の１つ以上の実施形態を実施するために使用することができる典型的コンピュータ装置の単なる例示であって、本発明を決して限定するものではない。
【００５０】
コンピュータ装置２００は、様々なコンピュータ読み出し可能媒体を含むことができるかまたはそれと相互作用することができる。コンピュータ読み出し可能媒体の例としては、ランダムアクセスメモリ（ＲＡＭ）、読み取り専用メモリ（ＲＯＭ：Ｒｅａｄ  Ｏｎｌｙ  Ｍｅｍｏｒｙ）、電子的消去可能プログラマブルリードオンリーメモリ（ＥＥＰＲＯＭ：Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリまたは他のメモリ技術、ＣＤＲＯＭ、ディジタル汎用ディスク（ＤＶＤ）または他の光学的またはホログラフィック媒体、磁気カセット、磁気テープ、磁気ディスク記憶装置、または情報を符号化するために使用することができコンピュータ装置２００によりアクセスされることができる他の磁気記憶装置が挙げられる。
【００５１】
メモリ２１２は、揮発性および／または不揮発性メモリの形式のコンピュータ記憶媒体を含むことができる。メモリ２１２は着脱可能、着脱不能、またはそれらの任意の組み合わせであってよい。典型的ハードウェア装置は、ハードドライブ、固体メモリ、光ディスクドライブなどの装置である。コンピュータ装置２００は、メモリ２１２、様々なＩ／Ｏ部品２１６などの部品からデータを読み取る１つ以上のプロセッサを含むことができる。プレゼンテーション部品２１６はユーザまたは他の装置へのデータ指示を提示する。典型的プレゼンテーション部品としては、ディスプレイ装置、スピーカ、印刷用部品、振動部品などが挙げられる。
【００５２】
Ｉ／Ｏポート２１８は、コンピュータ装置２００がＩ／Ｏ部品２２０などの他の装置に論理的に結合されるようにすることができる。Ｉ／Ｏ部品２２０のいくつかをコンピュータ装置２００内に組み込むことができる。このようなＩ／Ｏ部品２２０の例としては、マイクロホン、ジョイスティック、記録装置、ゲームパッド、衛星放送アンテナ、スキャナ、プリンタ、ワイヤレス装置、ネットワーク装置等が挙げられる。
【００５３】
本発明の多くの修正および代替実施態様は、先の説明を考慮すると当業者に明らかになる。したがってこの説明は単に例示的なものであって、本発明を実行するための最良の様式を当業者に教示するためのものである。構造の詳細は本発明の精神から逸脱することなく実質的に変更されてもよく、添付された請求項の範囲内に含まれる全変形例の独占的使用は確保されるものである。本発明は添付特許請求範囲と適用可能な法規により必要とされる程度だけ限定されるように意図されている。
【００５４】
以下の特許請求範囲は、本明細書に記載される全ての総称的および特定的な本発明の特徴、および、使用言語の如何に関わらず、本発明の範囲内での全ての陳述をカバーすることがまた理解されるはずである。
【図１】
2013535055.tif 000003
【図２】
2013535055.tif 000004
【図３】
2013535055.tif 000005
【図４】
2013535055.tif 000006
【図５】
2013535055.tif 000007
【図６】
2013535055.tif 000008
【図７】
2013535055.tif 000009
【図８Ａ】
2013535055.tif 000010
【図８Ｂ】
2013535055.tif 000011
【図９】
2013535055.tif 000012
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
選択されたカテゴリの情報内容を表す選択されたカテゴリ指標と、
選択されたサブカテゴリの情報内容を表す選択されたサブカテゴリ指標であって、前記サブカテゴリは前記選択されたカテゴリとのトピック関連性を有する、選択されたサブカテゴリ指標と、
前記選択されたカテゴリとのトピック関連性を有する代替サブカテゴリの情報内容を表す少なくとも１つの選択可能なサブカテゴリ指標と、
選択された情報内容へのアクセスを提供する選択された情報セグメント指標であって、前記選択されたサブカテゴリとのトピック関連性を有する、選択された情報セグメント指標と、
複数の選択可能な情報セグメント指標であって、それぞれが追加情報内容へのアクセスを提供し、前記選択されたサブカテゴリとのトピック関連性を有する、選択可能な情報セグメント指標と、
前記選択されたカテゴリの情報内容とは異なり、前記選択された情報内容とのトピック関連性を有する情報内容の接続カテゴリを表す選択可能な接続カテゴリ指標と、を含むコンピュータ実施情報ディスプレイおいて、
前記選択可能なカテゴリ指標の選択は、情報内容の前記接続カテゴリを表す選択されたカテゴリ指標を表示させる、ことを特徴とするディスプレイ。
【請求項２】
請求項１に記載のディスプレイにおいて、前記複数の選択可能な情報セグメント指標はストリング構成で配置されることを特徴とするディスプレイ。
【請求項３】
請求項１に記載のディスプレイにおいて、前記複数の選択可能な情報セグメント指標はストリング構成で時間的に配置されることを特徴とするディスプレイ。
【請求項４】
請求項１に記載のディスプレイにおいて、前記選択されたカテゴリ指標は追加カテゴリ指標の階層内に配置されることを特徴とするディスプレイ。
【請求項５】
請求項１に記載のディスプレイにおいて、前記選択されたサブカテゴリ指標はカテゴリ指標の階層構造の末端カテゴリ指標であることを特徴とするディスプレイ。
【請求項６】
請求項１に記載のディスプレイにおいて、前記選択された情報セグメント指標は情報内容へのハイパーリンク、情報内容へのポインタ、または情報内容への連想指示を含むことを特徴とするディスプレイ。
【請求項７】
請求項１に記載のディスプレイにおいて、前記選択された情報セグメント指標の選択は前記ディスプレイに情報内容をさらに含ませることを特徴とするディスプレイ。
【請求項８】
請求項１に記載のディスプレイにおいて、異なるカテゴリ指標の選択は、前記少なくとも１つの選択可能なサブカテゴリ指標を異なる少なくとも１つの選択可能なサブカテゴリ指標により置換させ、前記複数の選択可能な情報セグメント指標を異なる複数の選択可能な情報セグメント指標により置換させ、前記少なくとも１つの選択可能な接続カテゴリを異なる少なくとも１つの選択可能な接続カテゴリ指標により置換させる、ことを特徴とするディスプレイ。
【請求項９】
請求項１に記載のディスプレイにおいて、代替サブカテゴリの情報内容を表す前記少なくとも１つの選択可能なサブカテゴリ指標の１つの選択は、前記複数の選択可能な情報セグメント指標を異なる複数の選択可能な情報セグメント指標により置換させ、前記少なくとも１つの接続カテゴリ指標を異なる少なくとも１つの選択可能な接続カテゴリ指標により置換させる、ことを特徴とするディスプレイ。
【請求項１０】
請求項１に記載のディスプレイにおいて、異なる選択可能な情報セグメント指標の選択は、前記少なくとも１つの選択可能な接続カテゴリ指標を異なる少なくとも１つの選択可能な接続カテゴリ指標により置換させることを特徴とするディスプレイ。
【請求項１１】
請求項１に記載のディスプレイにおいて、異なる選択可能な情報セグメント指標の選択は、前記少なくとも１つの接続カテゴリ指標を異なる少なくとも１つの選択可能な接続カテゴリ指標により置換させ、前記カテゴリ指標と前記少なくとも１つの選択可能なサブカテゴリ指標を同じ状態のままにさせる、ことを特徴とするディスプレイ。
【請求項１２】
請求項１に記載のディスプレイにおいて、前記選択された情報セグメント指標または前記複数の選択可能な情報セグメント指標の１つは、さらに発行日とソース識別子の１つ以上を含む、ことを特徴とするディスプレイ。
【請求項１３】
データ宛先にナビゲーションリンクを提供する複数の選択可能な情報セグメント指標で形成されたストリングと、
選択されたカテゴリの情報内容を表すカテゴリ指標と、
１つ以上の代替ストリングへの１つ以上のナビゲーションリンクと、
１つ以上の接続カテゴリへの１つ以上のナビゲーションリンクと、を含む会話型情報ディスプレイにおいて、
前記ストリングと前記１つ以上の代替ストリングのそれぞれは前記選択されたカテゴリの情報内容とトピック的に関連付けられ、
前記１つ以上の接続カテゴリのそれぞれの情報内容は前記ストリング上の選択されたナビゲーションリンクとトピック的に関連付けられ、
１つ以上の接続カテゴリへの前記１つ以上のナビゲーションリンクの任意の１つの選択は、前記１つ以上のナビゲーションリンクの前記選択された任意の１つに対応する前記１つ以上の接続カテゴリの前記接続カテゴリを表すカテゴリ指標を表示させる、ことを特徴とする会話型情報ディスプレイ。
【請求項１４】
請求項１３に記載の会話型情報ディスプレイ装置において、前記ストリングと前記１つ以上の代替ストリングのうちの１つ以上は、画面全体にわたって、画面上で、画面上に、画面から、またはこれらの任意の組み合わせで移動するように構成される、ことを特徴とする会話型情報ディスプレイ。
【請求項１５】
請求項１３に記載の会話型情報ディスプレイ装置において、前記複数の選択可能な情報セグメント指標は、時間的に配置されることを特徴とする会話型情報ディスプレイ。
【請求項１６】
請求項１３に記載の会話型情報ディスプレイ装置において、前記カテゴリ指標は、追加カテゴリ指標の階層内に配置されることを特徴とする会話型情報ディスプレイ。
【請求項１７】
請求項１３に記載の会話型情報ディスプレイにおいて、選択されたサブカテゴリの情報内容を表す選択されたサブカテゴリ指標であって、前記サブカテゴリが前記選択されたカテゴリとのトピック関連性を有する、サブカテゴリ指標をさらに含むことを特徴とする会話型情報ディスプレイ。
【請求項１８】
請求項１３に記載の会話型情報ディスプレイにおいて、前記複数の選択可能な情報セグメント指標の１つが選択されることを特徴とする会話型情報ディスプレイ。
【請求項１９】
単一のディスプレイ内において、
宛先情報への複数のリンクで形成されグループで配置されたストリングを表示する工程であって、前記複数のリンクの１つは選択された状態である、工程と、
情報内容カテゴリの指示を表示する工程と、
代替ストリングへの１つ以上のリンクを表示する工程と、
接続カテゴリへの１つ以上のリンクを表示する工程と、とを含む宛先情報へのナビゲーションリンクを表示する方法において、
前記宛先情報内の情報内容は前記情報内容カテゴリとトピック的に関連付けられ、
前記代替ストリング内の情報内容は前記情報内容カテゴリとトピック的に関連付けられ、
前記接続カテゴリ内の情報内容は宛先情報への前記選択されたリンクとトピック的に関連付けられ、
接続カテゴリへの前記表示された１つ以上のリンクの任意の１つの選択は、前記選択された１つ以上のリンクに対応する前記複数の接続カテゴリのうちの前記接続カテゴリを表す異なる情報内容カテゴリの指示を表示させる、ことを特徴とする方法。
【請求項２０】
請求項１９に記載の方法において、前記選択された状態である前記複数のリンクの１つによりリンクされる情報内容を表示する工程をさらに含む、ことを特徴とする方法。
【請求項２１】
請求項１９に記載の方法において、接続カテゴリへの前記１つ以上のリンクの１つの選択は、代替ストリングへの前記１つ以上のリンクを異なる代替ストリングへの１つ以上のリンクにより置換させ、宛先情報への前記複数のリンクを異なる宛先情報への複数のリンクにより置換させ、接続カテゴリへの前記１つ以上のリンクを異なる接続カテゴリへの１つ以上のリンクにより置換させる、ことを特徴とする方法。
【請求項２２】
請求項１９に記載の方法において、代替ストリングへの前記１つ以上のリンクの１つの選択は、宛先情報への前記複数リンクを異なる宛先情報への複数のリンクにより置換させ、接続カテゴリへの前記１つ以上のリンクを異なる接続カテゴリへの１つ以上のリンクにより置換させる、ことを特徴とする方法。
【請求項２３】
請求項１９に記載の方法において、宛先情報への前記複数のリンクのうちの異なるリンクの選択は、接続カテゴリへの前記１つ以上のリンクを異なる接続カテゴリへの１つ以上のリンクにより置換させる、ことを特徴とする方法。
【請求項２４】
請求項１９に記載の方法において、宛先情報への前記複数のリンクのうちの異なるリンクの選択は、接続カテゴリへの前記１つ以上のリンクを異なる接続カテゴリへの１つ以上のリンクにより置換させ、情報内容カテゴリの前記指示と代替ストリングへの前記１つ以上のリンクを同じ状態のままにさせる、ことを特徴とする方法。
【請求項２５】
請求項１９に記載の方法において、前記ストリングと前記１つ以上の代替ストリングのうちの１つ以上を、画面全体にわたって、画面上で、画面上に、画面から、またはこれらの任意の組み合わせで移動する工程、をさらに含むことを特徴とする方法。
【請求項２６】
極めて見易いディスプレイ内に表示された情報への複数のナビゲーションリンクを含む会話型情報ディスプレイにおいて、前記複数のナビゲーションリンクは、
情報を含む情報宛先への複数のナビゲーションリンクを含むストリングと、
代替ストリングへの１つ以上のナビゲーションリンクと、
前記情報宛先に含まれる情報と前記１つ以上の代替ストリングがトピック的に関連付けられるカテゴリ属を特定するカテゴリ指標と、
接続カテゴリへの１つ以上の選択可能なリンクであって、各接続カテゴリは、情報宛先への選択されたナビゲーションリンクとのトピック関連性を有する代替カテゴリ属を含む、選択可能なリンクと、を含み、
接続カテゴリへの前記１つ以上の選択可能なリンクの任意の１つの選択は、前記１つ以上の選択可能なリンクの前記選択された任意の１つに対応する前記代替カテゴリ属を表すカテゴリ指標を表示させる、ことを特徴とする会話型ディスプレイ。
【国際調査報告】
2013535055.tif 000013